(57)【特許請求の範囲】
【請求項１】
シートを載置するための載置台と、この載置台に載置されたシートを検知する検知手段と、ループ形状部を有するシート状の弾性部材からなり、前記検知手段による検知位置の給紙方向上流でシート搬送面と一部接触し、シートの上面を押さえながら前記検知位置に案内する案内手段とを設け、
前記検知手段に、非検出時にはシート搬送面に突出し、前記載置台に載置されるシートに当接して退避するフィラーを有し、このフィラーと前記案内手段が非検出時にオーバーラップするよう、前記案内手段の前記ループ形状部に長孔を設けたことを特徴とする給紙装置。
【請求項２】
前記案内手段の長手方向一端に、この案内手段をシート搬送面の上方に対向して設けられた上ガイド板に取り付けるための折込爪を設けたことを特徴とする請求項１に記載の給紙装置。
【請求項３】
前記案内手段の取付位置は、この案内手段とシート搬送面の接触位置の給紙方向上流にあることを特徴とする請求項１または２に記載の給紙装置。
【請求項４】
請求項１乃至３のいずれかに記載の給紙装置を設けたことを特徴とするシート搬送装置。
【発明の詳細な説明】
【０００１】
【発明の属する技術分野】
本発明は、載置台に載置されたシートを検知して所定位置へ給送する給紙装置およびシート搬送装置に関するものである。
【０００２】
【従来の技術】
従来、この種の給紙装置は、読み取り原稿あるいは印字用紙などのシートを載置したトレイからこのシートを給紙する給紙ローラと、この給紙ローラの搬送方向上流に配置された用紙検知部材と、この用紙検知部材と前記給紙ローラの間に配置された板状の用紙ガイドとを備え、この用紙ガイドと前記トレイに載置されたシート上面との間には僅かな隙間があった（特開平７−３３０１８２号公報）。
【０００３】
一方、ファクシミリ装置や複写機などに搭載された自動原稿搬送装置において、原稿セット部に機械方式（フィラー式）の原稿有無センサを設けたものがある。このフィラーの長さは、通紙パス（用紙の通る隙間）の大きさで決まり、通紙パスが大きければ、フィラーを長くする必要があり、通紙パスが小さくなれば、フィラーは短くて済む。これは、原則としてフィラーが上下のガイド板にまたがっている（オーバーラップしている）ためである。
【０００４】
ここで、図８（ａ）に示すように、カバー兼用の上ガイド板１１と下ガイド板１２の隙間が大きい場合、薄紙の原稿１３は、原稿有無センサ２のフィラーがホームポジションに戻る力で屈曲し、その結果、薄紙の原稿１３が原稿有無センサ２によって検知されないことになる。このような不具合は、図８（ｂ）に示すように、原稿有無センサ２のフィラーが上ガイド板１１とオーバーラップすることで解消できる。
【０００５】
しかしながら、原稿セット部に複数枚を積載するためには、通紙パスを充分広く設ける必要がある。ここで、図９（ａ）に示すように、原稿有無センサ２のフィラーと上ガイド板１１との間に隙間があると原稿１３を積載する高さは増すが、原稿束上面側の原稿が原稿有無センサ２によって検知されないことがある。これに対し、図９（ｂ）に示すように、原稿有無センサ２のフィラーと上ガイド板１１との隙間が少なくなるように、上ガイド板１１の高さを削減すると、積載可能な原稿枚数も減少することになる。さらに、原稿有無センサ２のフィラーを延長することが考えられるが、このフィラーの動作に支障をきたすようなレイアウトはできない。例えば、フィラー設置箇所が狭い場合には前記フィラーの延長は難しい。
【０００６】
そこで、特開平７−３３０１８２号公報に開示された技術に準じ、図１０（ａ）に示すように、原稿有無センサ２のフィラーの通紙方向上流にシート状の用紙ガイド（マイラー）１４ａを設けることが考えられる。このマイラー１４ａには、積載枚数に応じて原稿１３を原稿有無センサ２のフィラーの検知側に付勢する作用がある。
【０００７】
【発明が解決しようとする課題】
しかしながら、このような従来の給紙装置では、シート状のマイラー１４ａと原稿１３に隙間がある場合（例えば、薄紙の原稿１３を少数枚セットした場合）に、薄紙の原稿１３が隙間から搬送経路に入り込み、原稿有無センサ２に検知されないまま、フィードローラ側に進入するおそれがある。また、この場合に原稿１３の先端が装置駆動中の振動などで上下動し、原稿検知動作が不安定となる。また、電磁クラッチを介してピックアップローラを保持する構成では、１枚の原稿をピックアップしてフィードし、フィードローラから原稿後端が抜ける際に電磁クラッチがオフとなるが、次にピックアップされるべき原稿の先端が浮いて上下動してしまう。また、複数の原稿が重なって給送されるのを防ぐために１方向クラッチの作用で次原稿を押し戻し、重送を防ぐような構成（ＦＲＲ分離機構）では、前述のように先端が浮いた状態の原稿が過剰に押し戻され、原稿有無センサ２の検知動作が不安定になる。
【０００８】
さらに、ピックアップローラおよびフィードローラを含む給紙ユニットの上ガイド板（カバー兼用）１１の開閉動作、あるいは原稿１３の引き抜き動作（載置位置からの引き抜き動作）で、図１０（ｂ）に示すように、シート状のマイラー１４ａの先端が搬送方向上流側に反り返り、薄紙や少枚数セットの妨げになる場合がある。
【０００９】
本発明は、このような問題を解決するためになされたもので、紙厚やセット枚数に拘らず、シートが所定位置にセットされたことを確実に検知することが可能な給紙装置およびシート搬送装置を提供するものである。
【００１０】
【課題を解決するための手段】
請求項１に記載の発明の給紙装置は、シートを載置するための載置台と、この載置台に載置されたシートを検知する検知手段と、ループ形状部を有するシート状の弾性部材からなり、前記検知手段による検知位置の給紙方向上流でシート搬送面と一部接触し、シートの上面を押さえながら前記検知位置に案内する案内手段とを設け、前記検知手段に、非検出時にはシート搬送面に突出し、前記載置台に載置されるシートに当接して退避するフィラーを有し、このフィラーと前記案内手段が非検出時にオーバーラップするよう、前記案内手段の前記ループ形状部に長孔を設けた構成を有している。
【００１１】
この構成により、例えば、マイラーの撓みと弾性により小数枚積載時にもセット原稿とマイラー先端に隙間がなくなるので、装置駆動時の振動や原稿有無センサのフィラーが戻る力によって原稿が給紙方向上流に戻されることはなくなる。特に、原稿有無センサがフィラーの僅かな戻りでオフとなるような位置でオンしているような場合や、重送防止のために次頁原稿を戻す動作を伴うＦＲＲ分離機構などを設けた場合に、検知不良の多発を抑制できることとなる。
また、例えば、原稿などのシートを原稿有無センサのフィラーにガイドするマイラーのループ部分が原稿と接触するので、原稿有無センサに対して原稿を滑らかにガイドでき、マイラー形状も安定することとなる。また、原稿との接触部が滑らかな曲線（ループ（緩やかな円）形状）になっているため、薄紙原稿などのセット時に起き易い座屈を防げることとなる。さらに、マイラーの弾性により、上ガイド板の開閉動作や原稿引き抜き動作でマイラーのループ形状と搬送面の接触位置が移動しても、次の用紙の挿入動作で速やかに当初の接触位置に復帰することとなる。なお、従来の技術を適用し、マイラーのガイド形状を貼付面にならうような平面として搬送面と接触させた場合に、マイラーの反り（カール）によって押圧がばらつき、上ガイド板（カバー兼用）の開閉動作時に、マイラー先端が給紙方向上流に向くように反り返り、原稿がセットできなくなるなどの障害を招くおそれがある。
また、例えば、前記案内手段を構成するマイラーのループ部分（原稿と接する曲面）を二股形状とし、この二股形状の間に原稿有無センサのフィラーが非接触で入るよう、配置できるので、マイラーとフィラーの干渉を防ぎ、レイアウト的制約を緩和して装置を小型化できることとなる。
【００１６】
請求項２に記載の発明の給紙装置は、請求項１において、前記案内手段の長手方向一端に、この案内手段をシート搬送面の上方に対向して設けられた上ガイド板に取り付けるための折込爪を設けた構成を有している。
【００１７】
この構成により、耳状の折込部（折込爪）に粘着材を有し、この折込部を折り込んで上ガイド板に貼付することができるので、ループ形状を有するマイラーが剥がれ易いという弱点を克服できることとなる。また、上ガイド板の貼付面がリブ構造を有する場合に、貼り付け角度を適宜変更することで、例えば上ガイド板の面へ貼付けることが可能となり、粘着力あるいは接着力が増すこととなる。なお、前述のようにマイラーを二つ折りに曲げる構成では、マイラー両端の接着部分に対し、弾性によって常に剥がれようとする力を作用する。ここで、接着力あるいは粘着力を強化するためには、使用する接着剤あるいは粘着剤が制約され、コストアップにつながってしまう。
【００１８】
請求項３に記載の発明の給紙装置は、請求項１または２において、前記案内手段の取付位置は、この案内手段とシート搬送面の接触位置の給紙方向上流にある構成を有している。
【００１９】
この構成により、上ガイド板（カバー兼用）の開閉動作で、マイラーのループ先端が給紙方向上流に向いた場合に、マイラーのループ形状と撓みによって次原稿の挿入に伴い、ループ先端が速やかに給紙方向下流に向き直ることとなる。
【００２０】
請求項４に記載の発明のシート搬送装置は、請求項１乃至３のいずれかに記載の給紙装置を設けた構成を有している。
【００２１】
この構成により、紙厚やセット枚数に拘らず、原稿などのシートが給紙開始位置にセットされたことを確実に検知し、給紙動作が安定しているシート搬送装置を実現できることとなる。
【００２２】
【発明の実施の形態】
以下、本発明の実施の形態について、図面を用いて説明する。
［第１の実施形態］
図１に示すように、本発明の第１の実施の形態のシート搬送装置（自動原稿搬送装置）５０は、原稿１３を載置するための原稿トレイ５と、この原稿トレイ５に載置されたシートを検知する原稿有無センサ２と、シート状の弾性部材（ＰＥＴなどを用いた部材）からなり、原稿有無センサ２による検知位置の給紙方向上流で原稿搬送面と一部接触し、原稿１３の上面を押さえながら前記検知位置に案内する原稿ガイド（マイラー）１５とを設けた給紙装置（図３、図４に示す）を具備したものである。なお、これは請求項１乃至６に記載の発明を適用したものである。
【００２３】
図１において、自動原稿搬送装置（以下、ＡＤＦとも記す）５０は、画像読取装置６０の本体上部に搭載されている。画像読取装置６０のコンタクトガラス６の下部には、シート状の原稿１３の画像面を読み取るための読取部を設けている。この読取部には、露光ランプ１３２、第１ミラー１３１がコンタクトガラス６の下方で図中、左右方向に移動して原稿を読み取ることができ（圧板モード）、また、コンタクトガラス６を介して原稿を読み取る際（自動搬送モード）には、露光ランプ１３２と第１ミラー１３１をコンタクトガラス６の下方に停止させて読取位置（露光位置）で読み取るように構成されている。公知のように、露光ランプ１３２が照射した光の原稿面からの反射光は、第１ミラー１３１やレンズ１３３を介してＣＣＤなどの読み取り素子１２１に入光されて結像する。
【００２４】
一方、ＡＤＦ５０には、原稿１３を載置するための原稿トレイ５、この原稿トレイ５に載置された原稿１３を最上位から取り出すピックアップローラ３、分離機構を構成するフィードローラ１および分離ローラ９などを具備した分離給紙部（給紙装置）を設けている。また、原稿トレイ５の所定位置に載置された原稿１３の給紙方向先端は、フィラー式の原稿有無センサ２によって検知される。さらに、原稿有無センサ２のフィラーによる検知位置よりも給紙方向上流には、積載枚数に応じて原稿を押さえるための原稿ガイド（マイラー）１５を設けている。このマイラー１５は、開閉可能なカバーを兼ねる上ガイド板１１と下ガイド板１２の隙間に挿入されてくる原稿１３を原稿有無センサ２のフィラーに確実に案内するものである。なお、原稿有無センサ２の設置位置は、原稿１３の幅方向で最小サイズ範囲内にあり、搬送中心に近いことが好ましい。また、原稿有無センサ２の設置位置は、ピックアップ位置よりも給紙方向下流でフィードローラ１よりも給紙方向上流であることが好ましい。
【００２５】
また、ＡＤＦ５０には、分離後の原稿１３を読取位置へ搬送するための読取第１ローラ１０、読取第２ローラ８などを具備した搬送部を設けている。この読取第１ローラ１０は、前記分離機構から原稿１３を抜き出してレジスト位置へと搬送し、読取第２ローラ８は読取位置の搬送方向上流の所定位置で原稿１３を待機させ、所定のタイミングで読取位置へ送り込む。さらに、ＡＤＦ５０には、排紙ローラ４などを具備して、読取り後の原稿１３を排紙トレイへ排出する排紙部を設けている。
【００２６】
なお、ＡＤＦ５０のローラ部の構成は、図２に示すとおりである。図２において、フィードローラ１、ピックアップローラ３、分離ローラ９は分離給紙ユニットとして一体形成されている。この分離給紙ユニットは回動可能に支持され、カバー兼用の上ガイド板１１の開閉動作に伴って回動するものである。また、ピックアップローラ３は、タイミングベルトによってフィードローラ１と連結されていて、分離動作時にフィードローラ１の駆動軸から給紙モータの駆動を、電磁クラッチを介して伝達される。また、分離ローラ９は、回転可能な中心軸（駆動軸）に固着、軸支されていて、所定の大きさのトルクを有するトルクリミッタ（図示せず）を介してフリクション駆動され、フィードローラ１との直接係合時、または１枚の原稿を介して係合している状態では、フィードローラ１の回転に連れて反時計方向（ＣＣＷ方向）に回転するものである。さらに、分離ローラ９は、原稿が２枚以上、フィードローラ１と分離ローラ９の間に進入した場合は、連れ回り力がトルクリミッタのトルクよりも小さくなるように設定されており、この場合は本来の駆動方向である時計方向（ＣＷ方向）に回転し、余分な原稿を押し戻す働きをして重送を防止する。また、分離ローラ９の駆動軸は、ギヤを介して前記給紙モータのモータ軸に連結され、分離ローラ９の駆動力も前記給紙モータの駆動によって得られる。
【００２７】
また、前記分離給紙ユニットを含む前記ローラ部は、図示しないＡＤＦコントローラの制御で駆動される。このＡＤＦコントローラは、原稿有無センサ２および図示しない各センサからの検知信号、各ローラなどを駆動するためのモータ（前記給紙モータを含む）からの状態信号、および画像読取装置６０の本体から送信された制御信号（給紙開始信号など）を入力する。また、前記ＡＤＦコントローラは、原稿有無センサ２などの検知情報を画像読取装置６０の本体に送信すると共に、この本体から送信される制御信号に基づいて、前記給紙モータ、電磁クラッチ、１回転クラッチなどの駆動を制御する。
【００２８】
次に、図３、図４を参照しながら、マイラー１５について説明する。ＰＥＴなどの弾性材料からなるマイラー１５は、上ガイド板１１の上部に形成されたリブ構造部２１の面に貼付されている。また、マイラー１５の下部はワープ形状を成し、このワープ形状はさらに二股に分かれるように形成されている。この二股によって前記ワープ形状と、原稿有無センサ２のフィラー（下ガイド板１２から搬送路上に突出した部分）とがオーバーラップし、さらに前記ワープ形状の一部が下ガイド板１２の搬送面と接触している。なお、マイラー１５のループ形状が前記搬送面と接触する位置は、原稿有無センサ２のフィラーによる検知位置よりも給紙方向上流に設定されている。図４では、原稿有無センサ２のフィラーのホームポジションを実線で示し、検知位置を点線で示している。このように、マイラー１５のループ形状が搬送面と接触することで、原稿１３の先端を押さえるとともに挿入方向をガイドするものである。また、マイラー１５を用いることで、容易かつ安価にループ形状のガイド機構を形成できる。さらに、マイラー１５は他の剛性材料に比べて原稿１３との摩擦力および反力が小さいので、ループ形状の弾性変形により、上ガイド板１１の開閉動作などで給紙ユニット部品と接触して破損することを回避できる。
【００２９】
次に、図５を参照しながら、マイラー１５の取付方法について説明する。図５（ｂ）に示すように、マイラー１５に短冊状の窓（長孔）を設けるとともに折込部（折込爪）１６ａ、１６ｂを有し、ループ形状を形成するための貼付位置（図中、長手方向の両端側の斜線部）および折込部１６ａ、１６ｂに粘着剤あるいは接着剤を有している。このようなマイラー１５をＡＤＦ５０の分離給紙部に取り付ける場合、まず両端側を貼付してワープ形状を形成し、次いで折込部１６ａ、１６ｂを上ガイド板１１のリブ構造部２１に貼付する。ここで、粘着剤あるいは接着剤の代わりに両面接着テープを用いてもよい。このようにマイラー１５の長手方向と垂直方向に延びる耳状の折込部１６ａ、１６ｂを設けることにより、挿入される原稿との接触や上ガイド板１１の開閉による摩擦でマイラー１５が脱落することを抑制できる。
【００３０】
このような構成により、ＡＤＦ５０がリフトダウンされた状態（自動搬送モード）で、原稿トレイ５上に原稿１３が第１画像面を上向きにしてセットされ、原稿１３の先端がマイラー１５に押さえられながら下ガイド板１２と上ガイド板１１の隙間に挿入されると、原稿有無センサ２のフィラーが回動してこれを検知し、検知情報を図示しないＡＤＦコントローラに送る。ここで、画像読取装置６０の本体の図示しないスタートボタンが押下されると、前記ＡＤＦコントローラは、本体からの給紙信号を受けて前記給紙部を駆動する。こうして最上位の原稿から一枚ずつ順に、前記読取部のコンタクトガラス６上に、供給されることになる。
【００３１】
すなわち、原稿有無センサ２によって原稿検知がなされ、スタートボタンが押下されると、ピックアップローラ３によって加圧された原稿１３は、ピックアップローラ３によって最上位から取り出され、フィードローラ１および分離ローラ９からなる分離機構へ搬送されて分離される。ここで、前述のように重送防止のため、分離ローラ９が時計方向に回転して余分な原稿を押し戻す働きをしても、マイラー１５が次原稿の上面を押さえているので、過度に押し戻されることはなく、原稿有無センサ２の検知不良を招くこともない。なお、電磁クラッチを介してピックアップローラ３を駆動する構成では、１枚の原稿をピッアップローラ３の駆動で取り出し、この原稿の後端がフィードローラ１を通過して前記電磁クラッチをオフされ、ピッアップローラ３が次原稿の上面から退避しても、マイラー１５が次原稿の上面を押さえているので、次原稿が浮き上がることはなく、原稿有無センサ２の検知不良を招くこともない。こうして分離された原稿１３は、読取第１ローラ１０、読取第２ローラ８を有する搬送部へ搬送される。ここで、図示しないレジストセンサは、分離後の原稿先端を検知し、画像読取装置６０の本体の前記読取部への原稿先端通過と画像読み取り開始とのタイミングを合わせる。原稿給送後、一定時間経過しても原稿先端が前記レジストセンサに到達しない場合は、ジャムと判断される。こうして前記読取部にて画像が読み取られた後、排紙ローラ４などを有する前記排紙部へ搬送されて排出される。なお、マイラー１５が次原稿の上面を押さえているので、原稿１３の先端が装置駆動中の振動などで上下動し、原稿検知動作が不安定となることも抑制できる。
【００３２】
以上のように、本発明の第１の実施の形態の自動原稿搬送装置５０は、原稿１３を載置するための原稿トレイ５と、この原稿トレイ５の所定位置に載置されたシートを検知する原稿有無センサ２と、シート状の弾性部材からなり、原稿有無センサ２による検知位置の給紙方向上流で原稿搬送面と一部接触し、原稿１３の上面を押さえながら前記検知位置に案内するマイラー１５とを設けた分離給紙部を具備しているので、紙厚やセット枚数に拘らず、原稿１３が原稿有無センサ２の検知位置にセットされたことを確実に検知できる。
【００３３】
また、本発明の第１の実施の形態の自動原稿搬送装置５０は、マイラー１５にループが曲成され、原稿搬送面とループ形状の一部が接触し、さらに原稿有無センサ２のフィラーとマイラー１５が非検出時にオーバーラップするよう、マイラー１５のループ形状部に長孔を設けた分離給紙部を具備しているので、原稿１３を原稿有無センサ２へ滑らかに案内するとともに、マイラー１５と原稿有無センサ２のフィラーの干渉を防ぎ、レイアウト的制約を緩和して自動原稿搬送装置５０を小型化できる。
【００３４】
［第２の実施形態］
図６は、本発明の第２の実施形態に係る給紙装置の要部断面図を示す。これは請求項１、２、４、５、６に記載の発明を適用したものであって、第１の実施形態とは、自動原稿搬送装置（ＡＤＦ）５０に設けた給紙装置のマイラー１５′にループが曲成され、原稿１３の搬送面とマイラー１５′のループ形状の一部が接触するようにした点が相違している。この構成によれば、マイラー１５′のループ形状部に長孔を設ける必要がなく、加工が容易であるという効果も得られる。
【００３５】
本実施形態の給紙装置は、第１の実施形態に示すＡＤＦ５０に設けられており、このＡＤＦ５０は第１の実施形態に示す画像読取装置６０の本体に搭載されている。その全体構成は、マイラー１５′を除いて第１の実施形態と概ね同様であるため、図１を用いると共に同一構成には同一符号を付与して説明を省略する。図６において、ＰＥＴなどの弾性材料からなるマイラー１５′は、上ガイド板１１の上部に形成されたリブ構造部２１に貼付されている。また、マイラー１５′の下部にはワープが形成されている。このようなワープ形状の一部は、原稿有無センサ２のフィラーによる検知位置よりも給紙方向上流、すなわち原稿有無センサ２のフィラーが下ガイド板１２の搬送面上に突出した位置（図６に示す右側のフィラー突出部）よりも給紙方向上流で、下ガイド板１２の搬送面に接触している。図６では、原稿有無センサ２のフィラーのホームポジションを実線で示し、検知位置を点線で示している。このように、マイラー１５′のループ形状が搬送面と接触することで、原稿１３の先端を押さえるとともに挿入方向をガイドするものである。
【００３６】
次に、図７を参照しながら、マイラー１５′の取付方法について説明する。図７（ｂ）に示すように、マイラー１５′は、折込部（折込爪）１６ａ′、１６ｂ′を有し、ループ形状を形成するための貼付位置（図中、長手方向の両端側の斜線部）および折込部１６ａ′、１６ｂ′に、粘着剤または接着剤を有している。このようなマイラー１５′をＡＤＦ５０の分離給紙部に取り付ける場合、図７（ａ）に示すように、まずマイラー１５′の両端を重ねて貼付してワープ形状を形成し、次いで折込部１６ａ′、１６ｂ′を折り曲げて上ガイド板１１のリブ構造部２１の面に貼付する。ここで、粘着剤あるいは接着剤の代わりに両面接着テープを用いてもよい。このようにマイラー１５′の長手方向と垂直方向に延びる耳状の折込部１６ａ′、１６ｂ′を設けることにより、挿入される原稿との接触や上ガイド板１１の開閉による摩擦でマイラー１５′が脱落することを抑制できる。
【００３７】
なお、前述の各実施形態では、原稿トレイ５などが前記載置台を構成し、原稿有無センサ２などが前記検知手段を構成し、マイラー１５、１５′などが前記案内手段を構成し、折込部１６ａ、１６ｂ、１６ａ′、１６ｂ′などが前記折込爪を構成している。
【００３８】
さらに、前述の各実施形態では、原稿ガイドとしてループ形状を有するマイラーを用いた場合について説明したが、本発明はマイラーのほかに、プラスチックなどの可塑性材料からなる押圧ガイド部材、あるいは回転自在なローラなどを用いても同様の効果が得られるものである。例えば、図４に示すマイラー１５と同様の断面形状を有し、原稿有無センサ２のフィラーとオーバーラップするように二股形状とした押圧ガイド部材を、回転軸などの支持部材で上ガイド板１１に回動可能に支持する。この構成においては、上ガイド板１１の開閉動作で前記押圧ガイド部材と下ガイド板１２の当接位置が、上ガイド板１１による支持位置よりも給紙方向上流に移動することを防ぐために、前記押圧ガイド部材の回動範囲を規制するストッパを設ける。また、前記押圧ガイド部材と下ガイド板１２の当接位置は、原稿有無センサ２の検知位置よりも給紙方向上流で、かつ上ガイド板１１による支持位置よりも給紙方向下流に設定する。また例えば、回転軸などの支持部材により上ガイド板１１に回動可能に支持された、二股形状のアームの両先端に回転自在なローラを設け、このローラおよびアームが原稿有無センサ２のフィラーとオーバーラップし、かつ前記ローラが原稿有無センサ２の検知位置と上ガイド板１１によるアーム支持位置の中間で、下ガイド板１２と当接するように構成してもよい。この構成においても、上ガイド板１１の開閉動作で前記回転自在なローラと下ガイド板１２の当接位置が、上ガイド板１１によるアーム支持位置よりも給紙方向上流に移動することを防ぐために、前記アームの回動範囲を規制するストッパを設ける。
【００３９】
【発明の効果】
請求項１に係る発明によれば、案内手段（マイラーなど）がシート搬送面と一部接触することで、その撓みと弾性により小数枚積載時にもシート（原稿など）とマイラー先端に隙間がなくなるので、装置駆動時の振動や検知手段（原稿有無センサなど）のフィラーが戻る力によって原稿が給紙方向上流に戻されることを抑制できる。
また、案内手段（マイラーなど）に形成されたループの一部とシート搬送面が接触することで、検知手段（原稿有無センサなど）に対してシート（原稿など）を滑らかにガイドでき、マイラー形状も安定して原稿の座屈を防ぐことができる。
また、検知手段（原稿有無センサなど）のフィラーと案内手段（マイラーなど）が非検出時にオーバーラップすることで、マイラーとフィラーの干渉を防ぎ、レイアウト的制約を緩和して装置を小型化することができる。
【００４２】
請求項２に係る発明によれば、案内手段（マイラーなど）を上ガイド板に取り付けるための折込爪（折込部など）を設けることで、ループ形状を有するマイラーが剥がれ易いという弱点を克服できる。
【００４３】
請求項３に係る発明によれば、案内手段（マイラーなど）の取付位置は、この案内手段とシート搬送面の接触位置よりも給紙方向上流にあるので、マイラーのループ形状と撓みによってループ先端の向きに拘らず、シート（原稿など）を確実に検知位置へ案内できる。
【００４４】
請求項４に係る発明によれば、シート搬送装置に前述の給紙装置を設けたので、紙厚やセット枚数に拘らず、シート（原稿など）が給紙開始位置にセットされたことを確実に検知できる。
【図面の簡単な説明】
【図１】本発明の第１の実施形態に係る画像読取装置の概略を示す構成図である。
【図２】本発明の第１の実施形態に係る自動原稿搬送装置のローラ部の構成を示す図である。
【図３】本発明の第１の実施形態に係る給紙装置の要部を示す斜視図である。
【図４】本発明の第１の実施形態に係る給紙装置の要部を示す断面図である。
【図５】本発明の第１の実施形態に係るマイラーの構成を示す説明図である。
【図６】本発明の第２の実施形態に係る給紙装置の要部を示す断面図である。
【図７】本発明の第２の実施形態に係るマイラーの構成を示す説明図である。
【図８】従来の原稿有無センサの動作（単数の原稿）を示す説明図である。
【図９】従来の原稿有無センサの動作（積載原稿）を示す説明図である。
【図１０】従来の原稿有無センサに原稿ガイドを設けた場合の動作を示す説明図である。
【符号の説明】
１  フィードローラ
２  原稿有無センサ
３  ピックアップローラ
４  排紙ローラ
５  原稿トレイ
６  コンタクトガラス
７  読取圧板
８  読取第２ローラ
９  分離ローラ
１０  読取第１ローラ
１１  上ガイド板（カバー兼用）
１２  下ガイド板
１３  原稿
１４  従来の原稿ガイド
１５、１５′  原稿ガイド（マイラー）
１６ａ、１６ｂ、１６ａ′、１６ｂ′  マイラーの折込部
５０  自動原稿搬送装置（ＡＤＦ）
６０  画像読取装置
【図１】
0003824909.tif 000002
【図２】
0003824909.tif 000003
【図３】
0003824909.tif 000004
【図４】
0003824909.tif 000005
【図５】
0003824909.tif 000006
【図６】
0003824909.tif 000007
【図７】
0003824909.tif 000008
【図８】
0003824909.tif 000009
【図９】
0003824909.tif 000010
【図１０】
0003824909.tif 000011